(57)【要約】【課題】ドラムが斜めに傾いているドラム式洗濯機において、洗浄開始時にドラムの奥の洗濯物へ洗濯水を素早く含水させ洗浄性能を高め、かつ、脱水開始時の洗濯物のドラムの奥での偏りを防ぎ、騒音や振動を低減させ、脱水性能の優れた洗濯機を提供する。【解決手段】周壁４ｃと底壁４ｄとを有し、回転軸が水平に対して手前側が高く傾斜したドラム４と、ドラム４の内方へ突出したバッフル４ｂを備え、バッフル４ｂは、内部の中空空間と入水口４ｂ３と出水口４ｂ４とが連通する。洗濯水は、入水口４ｂ３から入って中空空間に溜まり、バッフル４ｂがドラム４の回転に伴って上方に移動したときに、中空空間から出水口４ｂ４を通ってドラム４の手前側に出水する。これにより、ドラム４の奥側の回転軸近傍の洗濯物へ素早く洗濯水を含水させることができ、洗濯物の傷みが防止されるとともに、洗浄性能が高まる。【選択図】図２
2014087446.tif 000002
【特許請求の範囲】
【請求項１】
周壁と底壁とを有し、回転軸が水平に対して手前側が高く傾斜したドラムと、
前記ドラムを回転させるモータと、
前記ドラムの内方へ突出したバッフルと、を備え、
前記バッフルは、前記ドラムの前記周壁の内周面に設けられた第１のバッフルと、前記ドラムの前記底壁の内周面に設けられた第２のバッフルとから構成され、
前記第１のバッフルと前記第２のバッフルとが連続して形成され、
少なくとも前記第２のバッフルは、内部に中空空間を有するとともに、入水口および出水口を有し、前記入水口と前記中空空間と前記出水口とが連通したドラム式洗濯機。
【請求項２】
前記第１のバッフルの前記周壁の内周面からの高さは、前記ドラムの手前側よりも奥側の方が高い請求項１記載のドラム式洗濯機。
【請求項３】
前記底壁の回転中心近傍には、前記第２のバッフルが形成されない請求項１または２記載のドラム式洗濯機。
【請求項４】
前記第２のバッフルの前記底壁の内周面からの最大高さは、前記第１のバッフルの前記周壁の内周面からの最大高さより高い請求項１〜３のいずれか１項に記載のドラム式洗濯機。
【請求項５】
前記第２のバッフルの前記入水口は、前記第１のバッフルと前記第２のバッフルとの接続部の近傍に形成された請求項１〜４のいずれか１項に記載のドラム式洗濯機。
【請求項６】
前記第２のバッフルの前記出水口は、前記ドラムの前記回転軸の近傍に形成された請求項１〜５のいずれか１項に記載のドラム式洗濯機。
【請求項７】
前記第１のバッフルと第２のバッフルとが、互いに着脱可能である請求項１〜６のいずれか１項に記載のドラム式洗濯機。
【発明の詳細な説明】
【技術分野】
【０００１】
本発明は、弾性支持された水槽内に洗濯物を収容して回転可能な洗濯槽を備え、洗濯を行うドラム式洗濯機に関するものである。
【背景技術】
【０００２】
近年、ドラム式洗濯機においては、省エネ・節水の観点から回転軸を水平から若干上方側に傾斜させることで水槽内のドラムが奥側より手前側が高くなるように構成した、斜めドラムを有したドラム式洗濯機が一般的となっている。その主たる理由は、洗い工程では、奥側に洗濯物を偏らせて洗う方が、少ない水で洗うことが可能であり節水となるからである（例えば、特許文献１参照）。
【０００３】
反面、少ない水で洗う場合は、洗濯物が洗濯水に水没する機会が減り洗剤による油分分解など作用低下を懸念するため、これをカバーするために、ドラムの周壁（の特に奥下側）の洗濯物を掻き上げるために、ドラムの周壁からドラムの内方に突出する第１のバッフルに加えて、ドラムの底壁からドラムの内方に突出する第２のバッフルを加える提案もなされている（例えば、特許文献２参照）。
【先行技術文献】
【特許文献】
【０００４】
【特許文献１】特開２００９−１５３６３０号公報
【特許文献２】特開２００８−１０４６８５号公報
【発明の概要】
【発明が解決しようとする課題】
【０００５】
しかしながら、上記した従来の構成では、洗濯時では、運転シーケンス開始から間もないタイミングでは、ドラム内に給水される水の量が少ないため、特に、ドラムの奥側の中心部はドラムを回転させても、洗濯物に洗濯水が染みこまないため、洗濯物が乾いた状態で第２バッフルを擦る。これにより、洗濯物が痛むという課題を有していた。
【０００６】
また、脱水時では、ドラムが斜めに傾いているため、脱水時の騒音や振動が発生する。具体的には、洗い工程、すすぎ工程を終えて、脱水工程に移行すると、水槽内の洗濯水を排水させるが、この時の洗濯物の状態は、洗い動作を終えたばかりの洗濯物が（斜めドラムなので）ドラムの周壁の奥側に偏り、この状態で脱水動作を開始すると、図６に示すように、洗濯物は第１のバッフル１００によりドラム１０１の周壁からドラム１０１の回転軸１０２と同等あるいは若干上の高さに持ち上げられた（矢印Ａ）後に、壁面に沿って滑り落ちる（矢印Ｂ）ため、これを繰り返すと、洗濯物の大半はドラム１０１の奥側に団子状に押し固められる。つまり、円筒形のドラム１０１を脱水するため回転させようとすると、奥側だけが極端に重いため、ドラム１０１の前方とのバランスが悪くなり、ドラム１０１の前後方向のアンバランスが頻繁に発生して、振動騒音が大きくなる上に、団子状に押し固められた洗濯物はいくら遠心力をかけても十分に脱水されないと言う課題を有していた。
【０００７】
本発明は、前記従来の課題を解決するものであり、ドラムが斜めに傾いているドラム式洗濯機において、洗浄開始時にドラムの奥側の洗濯物へ素早く洗濯水を含水させ洗浄性能を高めるのと同時に、脱水開始時に洗濯物のドラムの奥側への偏りを防ぎ、ドラムの周方向に洗濯物を拡散させ均等に張り付かせることで洗濯物の偏り（アンバランス）を低減させることで、騒音や振動を低減させ、脱水性能の優れた洗濯機を提供することを目的とする。
【課題を解決するための手段】
【０００８】
上記課題を解決するために本発明の洗濯機は、周壁と底壁とを有し、回転軸が水平に対して手前側が高く傾斜したドラムと、ドラムを回転させるモータと、ドラムの内方へ突出したバッフルとを備え、バッフルは、ドラムの前記周壁の内周面に設けられた第１のバッフルと、ドラムの前記底壁の内周面に設けられた第２のバッフルとが連続して形成され、少なくとも第２のバッフルは、内部に中空空間を有するとともに、入水口および出水口を有し、入水口と中空空間と出水口とが連通したものである。
【０００９】
上記構成によれば、洗濯開始時に、ドラムの内部で最も洗濯水が溜まっているドラムの奥側に位置するバッフルの入水口から洗濯水が入り、バッフルの中空空間に洗濯水が溜まる。その後、バッフルがドラムの回転に伴い、回転軸と同等あるいは若干上の高さに持ち上げられた後は、前記した中空空間に溜った洗濯水が、バッフルの出水口からドラムの手前側に出水する。これにより、洗濯水が染みこみにくいドラムの奥側の回転軸近傍の洗濯物へ素早く洗濯水を含水させることができ、洗濯物の傷みを防止するとともに、洗浄性能を高めることができる。
【発明の効果】
【００１０】
本発明のドラム式洗濯機は、バッフルの入水口と内部の中空空間と出水口とが連通しているため、洗濯開始時に、ドラムの回転に伴い、洗濯水が掻き揚げられ、洗濯水をドラム手前側に出水することができる。
【図面の簡単な説明】
【００１１】
【図１】本発明の実施の形態１におけるドラム式洗濯機の断面図
【図２】同ドラム式洗濯機のドラムおよびバッフルの斜視図
【図３】同ドラム式洗濯機のバッフルの中空空間への水導入を示す図
【図４】同ドラム式洗濯機のバッフルの中空空間からの出水を示す図
【図５】同ドラム式洗濯機のバッフルと洗濯物の移動を示す図
【図６】従来のドラム式洗濯機のバッフルと洗濯物の移動を示す図
【発明を実施するための形態】
【００１２】
以下、本発明の実施の形態１について、図面を参照しながら説明する。
【００１３】
（実施の形態１）
図１は、本発明の実施の形態１におけるドラム式洗濯機の断面図である。図１を用いて構成を以下に説明する。
【００１４】
洗濯機本体１の内部には揺動自在に水槽３が収納され、水槽３内には洗濯槽であるドラム４が回転軸４ａを中心に回転自在に配設されている。ドラム４の回転軸４ａは水槽３の背面外側に取り付けた駆動手段であるモータ６が直結されており、このモータ６によりドラム４が回転駆動される。
【００１５】
ドラム４には、その周壁４ｃ全体に渡って複数の透孔４ｅが設けられ、水槽３内とドラム４内とは通水および通気ができるようになっている。ドラム４の底壁４ｄには円周方向に沿った複数の底壁開口４ｆが形成されており、これら底壁開口４ｆは水槽３の導風口３ｂに対向するように配置されている。また、ドラム４の周壁４ｃ内面には複数のバッフル（撹拌突起）４ｂが設けられており、ドラム４の回転によりドラム４内の洗濯物を持ち上げるようにしている。なお、透孔４ｅはドラム４の周壁４ｃ全体に渡り設けたが、ドラム４の周壁４ｃに部分的に形成してもよく、要は、水槽３内とドラム４内との通気性および通水性を確保でき、洗濯から乾燥に支障が出ないように設定すればよい。
【００１６】
また、ドラム４の回転軸４ａは、手前側が奥側に比べて高くなるように傾斜しており、具体的には水平方向Ｘから例えば角度θ＝１０±１０度で傾斜させて配置されている。このように回転軸４ａを傾斜させることで、水槽３の前面側の開口１３を上側に配置することができるようになり、大きく屈む姿勢をとることなく水槽３の開口１３を介してドラム４内の洗濯物が取り出せるようになる。
【００１７】
また、回転軸４ａを水平方向とした場合に比べ、水槽３内に給水された水が底壁側に溜まって少ない水量でも深い貯水状態が得られる。すなわち、少ない給水量でも水槽３内に溜まった水がドラム４の透孔４ｅから入り込み、洗濯物を濡らし吸水速度を速くすることができる。水槽３はドラム４内の洗濯物に効率よく給水を行うために、ドラム４と同じ傾斜を持ってその近くに沿うように設けてある。ドラム４および水槽３を傾斜させることによって、水平に配置するよりも早くに洗濯物の外周側に水が接触し始めるので、布質検知を迅速に行うことができる。
【００１８】
また、洗濯機本体１の前面側には水槽３の開口１３と対応する位置に扉５が設けられている。水槽３の開口１３はその口縁に環状のシール材１４を装着し、シール材１４の前面側が扉５の背面側に当接して密閉し、上下左右、前後に揺動する水槽３の開口が動いてもシール材１４が変形し扉５背面側へ押圧する形で密閉性を維持している。
【００１９】
水槽３の上部に配置された給水手段７は、給水弁７ｂと、給水弁７ｂの開閉によって給水される洗剤収容部７ａと、洗剤収容部７ａ内の洗剤を給水とともに水槽３内面とドラム４外面との間に形成された空間Ｙに供給する給水経路７ｃとを有している。
【００２０】
排水手段８は、水槽３の最底部に一端を接続した排水管８ａと、排水弁８ｂとを有し、排水弁８ｂの開閉によって洗い工程終了後、すすぎ工程終了時など必要なときに水槽３内の水を排水管８ａを介し排水できるようになっている。さらに排水管８ａの下流側には洗濯機本体１の外部から取り外し可能な排水フィルタ８ｃを配置し、排水に含まれる糸屑類を捕集するようになっている。
【００２１】
乾燥手段９は、水槽３およびドラム４から空気を出す導出口９ｆと、導出口９ｆから空気を吸引する送風機９ｃと、導出口９ｆからの空気に含まれる糸屑類を捕集し除塵するフィルタ（図示せず）と、水槽３の背面側に設けられ、ドラム４内に送風機９ｃから吹き出される空気を入れる導入口９ｅと、送風機９ｃと導入口９ｅとを接続する送風経路９ｄと、送風経路９ｄ内に配され、導出口９ｆからの高湿空気を除湿する除湿部９ｇと、送風経路９ｄ内で、除湿部９ｇより下流側に配され、除湿後の空気を加熱して高温空気とする加熱部９ｈとから構成されている。
【００２２】
なお、除湿部９ｇおよび加熱部９ｈをヒートポンプで構成してもよいし、加熱部９ｈをヒータで構成し、除湿部９ｇを水冷方式もしくは空冷方式としてもよい。
【００２３】
また、上記に併せ、洗い準備工程時、洗い工程時、すすぎ工程時など必要に応じ、水槽３内の水を循環ポンプ３０により循環させて洗剤の早期溶け込みや偏りの防止、洗濯やすすぎの機能向上を図る機能も有している。
【００２４】
循環ポンプ３０は、洗濯水を吸引して循環水路３１に送水する。また、送水された洗濯液は循環水路３１を通って水槽３に溜まる洗濯水をドラム４の開口１３下部の噴射口５１から洗濯槽内に吐出する。循環ポンプ３０のモータ回転速度は、例えば３５００ｒ／ｍｉｎ程度に設定している。
【００２５】
また、洗濯水をドラム４内に単純に噴射するようにした場合、せっかくの循環水がドラム４内の洗濯物の局部にしか噴射できず、循環効果を生かしきれない。一方、循環水を広域に噴射するのに特別な噴射ノズルを採用すると、必要ポンプ圧の上昇も併せ、コスト上昇の原因になるし限度がある。そこで、本実施の形態１では、水槽３内の水を循環ポンプ３０により循環させるのに、例えば回転速度制御が可能であるＤＣブラシレスモータを用いて、吐出される循環水の流量、流速を調整することで、特別な噴射ノズルを採用することなく、吐出される循環水の上下方向の角度、左右方向の広がり度合いを変えることができる。この結果、循環ポンプ３０によりドラム４内の洗濯物に対し満遍なくかつ最適な位置に循環水を供給可能となり、洗い性能およびすすぎ性能を高めることができる。また、洗濯物が位置しない空間に無駄に循環水を供給することを避けられるので、無駄な電力の消費を抑えられ、洗剤水による異常な発泡を抑制することもできる。
【００２６】
循環ポンプ３０の回転速度は、通常の洗い運転時には例えば上記したように３５００ｒ／ｍｉｎ程度とし、毎分２０Ｌ程度の循環水をドラム４内の洗濯物に供給することで、洗い性能、すすぎ性能の向上を図る。一方、洗濯物の量が所定値より少ないと判断された場合は、循環ポンプ３０の回転速度を、例えば２５００ｒ／ｍｉｎ程度に落とし、供給する循環水を毎分１５Ｌ程度にするとともに、循環水の吐出される上下方向の角度を水平に近づけ、左右方向の広がり度合いを小さくする。これにより、洗濯物が少ない場合は、吐出された循環水がドラム４内の下方に位置する洗濯物に当たらないという状態を避けることができ、効率的に循環水を供給することができる。
【００２７】
一方、循環ポンプ３０により吐出された循環水は、必ずしも全ての洗濯物に直接当らない。例えば、本実施の形態のドラム式洗濯乾燥機は、最大９ｋｇの洗濯物を洗うことができる。洗濯物を乾いた状態（すなわち濡れていない状態）でドラム４の内部に入れると、見た目は満載の状態となるが、この状態で噴射口５１よりも下の水位まで洗濯水を給水し、ドラム４を左右に回転させても、それまで乾いていた洗濯物には、なかなか洗濯水は浸透していかず、循環ポンプ３０を動作させて洗濯物に洗濯水をシャワー浸透させようと試みても、ドラム４の前方部分が濡れるばかりである。洗濯水の水位は、ドラム４の前方に比べるとドラム４の奥側の方が比較的高いため、ドラム４の奥側に位置する洗濯物は、ドラム４の回転によって洗濯物が洗濯水に浸かる機会が多い。しかしながら、それでも、ドラム４の奥側、特に回転軸４ａの近傍の洗濯物は洗濯水に浸からないため、ドラム４の回転に伴って洗濯水が飛散することによって洗濯物が徐々に濡れるのを待つことになる。
【００２８】
さらに、本実施の形態に係るドラム式洗濯機には、ドラム４内に給水された水量を検知する水位検知手段１０が設けられている。水位検知手段１０はエアトラップ機構によるエア内圧計測によるセンシングが一般的であり、エア内圧が安定的な大気開放圧力から変化するまでの時間を計測するのが水位センサのばらつきに影響を受けない適切な算出方法である。
【００２９】
また水位検知手段１０の出力は、ドラム４の回転の有無やその回転数など、洗濯動作中のドラム４の回転によって出力が変化するため、ドラム４の回転数に応じて周波数と水位のテーブルを複数持っている。つまりドラム４が静止中でも回転中でも水位を認識することができる。
【００３０】
また本実施の形態に係るドラム式洗濯機は、給排水やドラム４の駆動の指示はもちろん、水位検知手段１０などの各種センサ出力を含め、すべての入出力制御をタイマーで管理できるシステムを具備しており、各動作、タイミングにおける所要時間を知ることができる。
【００３１】
振動検手段１６は、水槽３の振動を検出する機能を有し、加速度センサー（図示せず）から構成されている。本実施の形態では、例としてドラム４の正面に対して上下方向の振動（加速度）を検出している。なお、加速度センサーとしては、半導体加速度センサー、圧電型加速度センサーなどのいずれでも良く、さらに多軸（２軸もしくは３軸）方向の加速度センサーでも良い。実際の水槽３の振動は、必ずしも一方向に限定できないので、３軸の加速度センサーを用いて、３軸の加速度成分を加算して合計したものを利用す
るのが良い。
【００３２】
本発明の実施の形態１におけるドラム式洗濯機は、モード設定や制御プログラムに従い、モータ６、給水手段７、排水手段８、乾燥手段９を自動制御して少なくとも洗い工程、すすぎ工程、脱水工程を行う機能を有している。本発明においては乾燥機能は省略することができる。
【００３３】
ここで、バッフル（撹拌突起）４ｂについて、図２を用いて詳細を述べる。バッフル４ｂは、ドラム４の周壁４ｃ（の特に奥下側）の洗濯物を掻き上げるために、ドラム４の周壁４ｃからドラム４の内方に突出する第１のバッフル４ｂ１と、ドラム４の底壁４ｄ（の特に下側）に張り付つくように偏った洗濯物を撹拌するために、ドラム４の底壁４ｄからドラム４の内方に突出する第２のバッフル４ｂ２とが、ドラム４の底壁４ｄと周壁４ｃとの境目で接合され一体化される。すなわち、バッフル４ｂは、第１のバッフル４ｂ１と第２のバッフル４ｂ２とが連続して形成される。第１のバッフル４ｂ１と第２のバッフル４ｂ２とが接合されている理由は、第１のバッフル４ｂ１と第２のバッフル４ｂ２との間に隙間が空いていると、靴下や小さなハンカチなどが団子状に挟まり押し固められる懸念があるからである。
【００３４】
また、第２のバッフル４ｂ２は、底壁４ｄの回転中心近傍には形成されない。すなわち、図２において、３箇所に設けてある第２のバッフル４ｂ２の底面はドラム４の回転軸４ａに掛からない、つまり、第２のバッフル４ｂ２同士は接触し合わないのである。これによって、第２のバッフル４ｂ２を備えないドラム式洗濯機と比較して第２のバッフル４ｂ２があることで削減されるドラム４の回転軸４ａ近傍の空間を最小限に留めることができ、毛布などのかさばる洗濯物をドラム４の内部に入れる場合にも気にならず影響がないというわけである。
【００３５】
つぎに、第２のバッフル４ｂ２の内部構造について説明する。第２のバッフル４ｂ２は、その内部の殆どが中空空間となる構造をしている。少なくとも第２のバッフル４ｂ２は、第１のバッフル４ｂ１と第２のバッフル４ｂ２との接続部の近傍に形成され、洗濯水を取り入れる孔である入水口４ｂ３を有する。この構成により、洗濯水は、図３の実線矢印に示すように入水口４ｂ３からのバッフル４ｂの内部の中空空間に取り込まれ、中空空間に溜まる。少なくとも第２のバッフル４ｂ２は、ドラム４の回転軸４ａの近傍に形成され、中空空間に溜められた洗濯水が出る孔である出水口４ｂ４を有する。ドラム４の回転（図３の破線矢印に示す）に伴い、バッフル４ｂは、図４に示すように上方に移動し、中空空間に溜められた洗濯水は出水口４ｂ４からドラム４の手前側に出水する。
【００３６】
以上のように構成されたドラム式洗濯機について、以下その動作、作用について説明する。
【００３７】
通常の洗い工程においては、まず扉５から濡れていない洗濯物が投入され、給水手段７の給水弁７ｂを開き給水が開始される。またこの給水を利用して、洗剤収容部７ａの洗剤も水槽３内に投入され、この後に動作させる循環ポンプ３０により吐出された循環水が噴射口５１から洗濯物に吐出することを考えると、噴射口５１よりも低い水位まで給水した後に、循環ポンプ３０を間欠動作させながら、ドラム４は左右の回転をさせながら洗浄動作を行う。
【００３８】
このとき、循環ポンプ３０によって吐出された循環水は必ずしも全ての洗濯物に直接当たる訳ではない。例えば、本実施の形態のドラム式洗濯乾燥機は、最大９ｋｇの洗濯物を洗うことができ、洗濯物が乾いた状態（濡れていない状態）でドラム４の内部に入ると、見た目は満載の状態となる。しかしながらこの状態で、噴射口５１よりも下の水位まで給水し、ドラム４を左右に回転させても、それまで乾いていた洗濯物になかなか洗濯水は浸透していかず、循環ポンプ３０を動作させて洗濯物に洗濯水をシャワー浸透させようと試みても、ドラム４の前方部分が濡れるばかりである。後端面に接する洗濯物は、ドラム４の前方に比べると比較的水位が高いためドラム４の回転により洗濯物が洗濯水に浸かる機会が多いが、それでもドラム４の後端面、特に回転軸４ａの近傍の洗濯物は洗濯水に浸からないため、ドラム４の回転により洗濯水が飛散することで洗濯物が徐々に濡れるのを待つのである。
【００３９】
しかしながら、本発明では、図３に示すように、第１のバッフル４ｂ１と第２のバッフル４ｂ２とからなるバッフル４ｂを使用することにより、この段階で、ドラム４の内部で最も洗濯水が一番溜まっているドラム底部奥から、第１のバッフル４ｂ１と第２のバッフル４ｂ２との接合部で、洗濯水を効率よく掻き揚げながら、接合部の近傍にある入水口４ｂ３から洗濯水を内部空間に取り込み溜め、図４に示すように、第２のバッフル４ｂ２がドラム４の回転軸４ａと同等あるいは若干上の高さに持ち上げられた後は、内部空間に溜まった洗濯水を出水口４ｂ４からドラム４の手前側に出水することで、特に、洗濯水が染みこみにくいドラム４の後端面の回転軸４ａの近傍の洗濯物へ散水させることで素早く洗濯水を染み込ませることができ、洗浄性能を高めることができる。
【００４０】
このように、洗浄動作（すすぎ動作を含む）を終えると、脱水工程に移行する。
【００４１】
脱水工程に入ると、最初に排水手段８の排水弁８ｂが開かれ、水槽３内の洗濯水が排水管８ａと排水フィルタ８ｃを通過して機外に排水されるが、この状態では、おおよそ洗濯開始前の乾燥した洗濯物の容量に対して２倍の容量の洗濯水が洗濯物に含水しており（例えば３ｋｇの洗濯物であれば６ｋｇの洗濯水が含水しており全部でドラム４内には９ｋｇの容量の濡れた洗濯物があり）、直ちにドラムを１００ｒｐｍ以上で回転させると洗濯物の偏り（アンバランス）が発生して騒音や振動が発生するため、初めは洗濯物に遠心力がかからない３０ｒｐｍ以下のゆっくりした回転数で洗濯物を持ち上げていく。
【００４２】
第１のバッフル４ｂ１は、周壁４ｃの内周面からの高さが、ドラム４の手前側よりも奥側の方が高いため、特に洗濯物を持ち上げにくい場所であるドラム４の底壁４ｄと周壁４ｃとの境目に靴下など、より奥にある洗濯物を確実に持ち上げることが可能である、このようにして、洗濯物は第１のバッフル４ｂ１によりドラム４の周壁４ｃから、ドラム４の回転軸４ａと同等あるいは若干上の高さに持ち上げられる。
【００４３】
ここで、バッフル４ｂが、第１のバッフル４ｂ１に加え更に第２のバッフル４ｂ２を有する作用と効果を、図５を用いて説明する。洗濯物は第１のバッフル４ｂ１によりドラム４の周壁４ｃから、ドラム４の回転軸４ａと同等あるいは若干上の高さに持ち上げられた（矢印Ｃ）後、従来のドラム式洗濯機であれば第２のバッフル４ｂ２が無いために、壁面に沿って滑り落ちていたところが、本実施の形態のドラム式洗濯機は第２のバッフル４ｂ２を有するため、第２のバッフル４ｂ２の側面を伝って、ドラム４の手前方向に崩れ落ちようとする（矢印Ｄ）。この時、第２のバッフル４ｂ２は、更に上方に移動しているため、実際には洗濯物は手前側に弾き出される。この現象は、第１のバッフル４ｂ１の周壁４ｃの内周面からの最大高さより、第２のバッフル４ｂ２の底壁４ｄの内周面からの最大高さの方が高いほど、勢いよく洗濯物が手前側に弾き出される傾向にあり、その理由としては、第１のバッフル４ｂ１の高さに比例して持ち上げられる洗濯物量が多くなり、同様に第２のバッフル４ｂ２の高さに比例して手前に投下することができるので、第２のバッフル４ｂ２の高さが第１のバッフル４ｂ１のそれに比べて高い場合、第１のバッフル４ｂ１により持ち上げられた洗濯物は第２のバッフル４ｂ２によって余裕を持って弾き飛ばすことができるのである。
【００４４】
このように勢いよく手前側に弾き飛ばされた洗濯物は、ドラム４の周壁４ｃの中央に拡散しながら降り注ぐことで、よりドラム４の周方向に洗濯物を均等に張り付かせることで、洗濯物の偏り（アンバランス）を低減させ脱水時の騒音や振動を低減させるばかりでなく、脱水性能の向上が可能になる。
【００４５】
さらに、第１のバッフル４ｂ１と第２のバッフル４ｂ２とが、互いに着脱可能とすれば、一方のバッフルが破損した場合、バッフル４ｂ全体を交換せずに、破損した方のバッフルのみを交換すれば良い。すなわち、容易に修理が可能になる。
【産業上の利用可能性】
【００４６】
本発明にかかる機器は、ドラム回転を用いて洗浄と脱水を行う機器において洗濯物への洗濯水を素早く含水させ、脱水対象物の偏りを防止する発明である。よって、家庭用洗濯機だけでなく、大型のふとんを洗浄し脱水する業務用洗濯機などにも適用できる。
【符号の説明】
【００４７】
１    洗濯機本体
３    水槽
３ｂ  導風口
４    ドラム
４ａ  回転軸
４ｂ  バッフル
４ｂ１  第１のバッフル
４ｂ２  第２のバッフル
４ｂ３  入水口
４ｂ４  出水口
４ｃ  周壁
４ｄ  底壁
４ｅ  透孔
４ｆ  底壁開口
５    扉
６    モータ
７    給水手段
７ａ  洗剤収容部
７ｂ  給水弁
７ｃ  給水経路
８    排水手段
８ａ  排水管
８ｂ  排水弁
９    乾燥手段
９ｃ  送風機
９ｄ  送風経路
９ｅ  導入口
９ｆ  導出口
９ｇ  除湿部
９ｈ  加熱部
１０  水位検知手段
１３  開口
１４  シール材
１６  振動検手段
３０  循環ポンプ
３１  循環水路
【図１】
2014087446.tif 000003
【図２】
2014087446.tif 000004
【図３】
2014087446.tif 000005
【図４】
2014087446.tif 000006
【図５】
2014087446.tif 000007
【図６】
2014087446.tif 000008